(57)【特許請求の範囲】
【請求項１】
内部に給電部を配置した細長い給電ダクトに対して、そのダクト本体の給電面に相対向して配置されて前記給電部からの電力を供給する電気機器を取り付ける給電ダクト用のプラグであって、
前記プラグに、前記ダクト本体の給電面を挟んで形成された前記ダクト本体の両外側面に対して対峙する相対向面を有する一対の挟持部を設け、その前記ダクト本体の両外側面と対峙する相対向面に、前記プラグと前記ダクト本体を連結する連結部材を形成し、
前記連結部材は、
前記ダクト本体を挟むように相対向して配置される一対の挟持部の相対向面から前記ダクト本体の両外側面側にそれぞれ突出し、前記ダクト本体の両外側面に長手方向に沿って形成された嵌着凹部に嵌着するロックプレートであり、
前記プラグは、
前記一対の挟持部の相対向する相対向面からそれぞれ突出するロックプレートの少なくとも一方のロックプレートを、常に前記ダクト本体の外側面側に突出するように押圧する支持する弾性部材と、
前記少なくとも一方のロックプレートを前記弾性部材の弾性力に抗して前記ダクト本体の外側面側から離間する方向に退避させる操作部と
を設けたことを特徴とする給電ダクト用のプラグ。
【請求項２】
請求項１に記載の給電ダクト用のプラグにおいて、
前記嵌着凹部は、前記ダクト本体の両外側面に長手方向に沿って形成された断面コ字状の嵌着溝であり、前記ロックプレートは、その断面コ字状の嵌着溝に嵌着し、その嵌着した嵌着溝に沿って摺動可能な係止爪を有していることを特徴とする給電ダクト用のプラグ。
【請求項３】
請求項１に記載の給電ダクト用のプラグにおいて、
前記挟持部の相対向する相対向面から突出するロックプレートは、前記挟持部に沿って２個設けられ、
前記２個のロックプレートに対して設けられた操作部は、前記ロックプレートの突出方向に対して直交する方向であって、互いに近づける方向に押圧操作することによって、各ロックプレートを前記弾性部材の弾性力に抗して前記挟持部の相対向面側に退避させることを特徴とする給電ダクト用のプラグ。
【請求項４】
請求項１〜３のいずれか１に記載の給電ダクト用のプラグにおいて、
前記給電ダクトは、内部に１次コイルと、前記１次コイルを励磁する１次コイル用回路とを備えた非接触給電ダクトであり、
前記電気機器は、内部に２次コイルと、前記１次コイルの励磁により、電磁誘導にて前記２次コイルに２次電力を発生させ、該２次電力を負荷に供給する２次コイル用回路とを備えたものであることを特徴とする給電ダクト用のプラグ。
【請求項５】
内部に給電部を配置した細長い給電ダクトに対して、そのダクト本体の給電面に相対向して配置されて前記給電部からの電力を供給する電気機器を取り付ける給電ダクト用のプラグであって、
前記プラグに、前記ダクト本体の給電面を挟んで形成された前記ダクト本体の両外側面に対して対峙する相対向面を有する一対の挟持部を設け、その前記ダクト本体の両外側面と対峙する相対向面に、前記プラグと前記ダクト本体を連結する連結部材を形成し、
前記プラグは、
前記一対の挟持部の下側に前記電気機器の少なくとも上部を内包する開口部を有した収容部と、
前記収容部に内包された前記電気機器の少なくとも上部を、前記ダクト本体側に押圧し、前記電気機器の上面を前記ダクト本体の給電面に対峙させる押圧部と
を設けたことを特徴とする給電ダクト用のプラグ。
【請求項６】
請求項５に記載の給電ダクト用のプラグにおいて、
前記収容部は、相対向する一対の円弧状の枠体であって、その一対の円弧状の枠体で形成される円形の空間に、前記電気機器の少なくとも上部が、前記空間の中心軸を中心に回動可能に配置され、
前記押圧部は、前記一対の枠体の内側に、それぞれ両側から枠体の中央位置に行くほど高くなる段差面を形成し、前記電気機器の上部側面に形成した突起が、前記空間の中心軸を中心に回動する時、前記段差面を摺接して前記電気機器の上面を前記ダクト本体の給電面に押圧させることを特徴とする給電ダクト用のプラグ。
【請求項７】
請求項６に記載の給電ダクト用のプラグにおいて、
前記段差面の中央位置には、前記電気機器の上部側面に形成した突起が、嵌着する嵌合凹部が形成されていることを特徴とする給電ダクト用のプラグ。
【請求項８】
請求項６又は７に記載の給電ダクト用のプラグにおいて、
前記電気機器の上部側面に形成した突起が、前記電気機器の少なくとも上部を回動させて前記押圧部の段差面の両側に位置する際に、前記電気機器を前記給電ダクトから離間する方向に押圧する離間部を備えたことを特徴とする給電ダクト用のプラグ。
【請求項９】
請求項８に記載の給電ダクト用のプラグにおいて、
前記離間部は、前記押圧部の段差面の両側に前記突起が位置する際に、前記突起を保持するように構成されたことを特徴とする給電ダクト用のプラグ。
【請求項１０】
請求項１〜９のいずれか１に記載の給電ダクト用のプラグにおいて、
前記電気機器は、照明器具であることを特徴とする給電ダクト用のプラグ。
【請求項１１】
内部に給電部を配置した細長い給電ダクトに対して、そのダクト本体の給電面に相対向して配置されて前記給電部からの電力を供給する電気機器をプラグを介して取り付ける電気機器の取り付け構造であって、
前記プラグに、前記ダクト本体の給電面を挟んで形成された前記ダクト本体の両外側面に対して対峙する相対向面を有する一対の挟持部を設け、その前記ダクト本体の両外側面と対峙する相対向面に、前記プラグと前記ダクト本体を連結する連結部材を形成し、
前記一対の挟持部の下側に前記電気機器の少なくとも上部を内包する開口部を有した収容部と、該収容部に内包された前記電気機器の少なくとも上部を、前記ダクト本体側に押圧するとともに前記電気機器の上面を前記ダクト本体の給電面に対峙させる押圧部とを備え、
前記収容部は、相対向する一対の円弧状の枠体であって、その一対の円弧状の枠体で形成される円形の空間に、前記電気機器の少なくとも上部が、前記空間の中心軸を中心に回動可能に配置され、
前記押圧部は、前記一対の枠体の内側に、それぞれ両側から枠体の中央位置に行くほど高くなる段差面を形成し、前記電気機器の上部側面に形成した突起が、前記空間の中心軸を中心に回動する時、前記段差面を摺接して前記電気機器の上面を前記ダクト本体の給電面に押圧させるものであり、
前記電気機器には、その上部側面に形成した突起が前記押圧部の段差面の両側に位置する際に、前記電気機器を前記給電ダクトから離間する方向に押圧する離間部を備えたことを特徴とする電気機器の取り付け構造。
【発明の詳細な説明】
【技術分野】
【０００１】
本発明は、給電ダクト用のプラグ及び電気機器の取り付け構造に関する。
【背景技術】
【０００２】
照明器具等の電気機器を取り付けることができるレール状のライティングダクトは、照明器具等の電気機器を容易に着脱でき、しかも、その取付位置を自在に変更でき、屋内外での照明機器のレイアウト変更に優れていることから益々注目されている。
【０００３】
ライティングダクトは、「給電ダクト」、「配線ダクト」又は「ライティングレール」とも呼ばれ、細長い筒形状のダクト本体が天井や壁に直接固着または吊り下げられる。この細長い筒形状のダクト本体は、長手方向に形成された給電面に、スリットが長手方向に沿って形成されている。そのスリットを介してプラグがダクト本体内に挿入され、かつ、同プラグがスリットに沿って摺動可能に取り付けられる。
【０００４】
このとき、プラグは、ダクト本体の内部に配線した導電体とプラグに設けた給電端子とが摺動可能に接触する。そして、ダクト本体に取り付けられたプラグは、照明器具を連結させることにより、照明器具に電力を給電する構成になっている（特許文献１）。
【先行技術文献】
【特許文献】
【０００５】
【特許文献１】特開２００９−２７２９６３号公報
【発明の概要】
【発明が解決しようとする課題】
【０００６】
ところで、プラグは、その一部をダクト本体内にスリットを介して挿入してダクト本体に対して移動可能に連結保持しなければならないことから、プラグを、ダクト本体の両側端部のいずれか一方の開口部から嵌め込む必要があった。従って、一度、ダクト本体が壁や天井に直接固着または吊り下げられた後に、新たなプラグを取り付けることは、プラグをダクト本体の側端から挿入しなければならず、非常に手間を要していた。このことは、ダクト本体からプラグを取り外す場合でも、同様であった。その結果、照明器具を増減して照明のレイアウトを変更したい場合には、非常に面倒で時間を要していた。
【０００７】
本発明は、上記問題を解決するためになされたものであり、その目的は、給電ダクトに接続される電気機器の取り付け及び取り外しを容易に行うことができる給電ダクト用のプラグ及び電気機器の取り付け構造を提供する。
【課題を解決するための手段】
【０００８】
本発明の給電ダクト用のプラグは、内部に給電部を配置した細長い給電ダクトに対して、そのダクト本体の給電面に相対向して配置されて前記給電部からの電力を供給する電気機器を取り付ける給電ダクト用のプラグであって、前記プラグに、前記ダクト本体の給電面を挟んで形成された前記ダクト本体の両外側面に対して対峙する相対向面を有する一対の挟持部を設け、その前記ダクト本体の両外側面と対峙する相対向面に、前記プラグと前記ダクト本体を連結する連結部材を形成し、前記連結部材は、前記ダクト本体を挟むように相対向して配置される一対の挟持部の相対向面から前記ダクト本体の両外側面側にそれぞれ突出し、前記ダクト本体の両外側面に長手方向に沿って形成された嵌着凹部に嵌着するロックプレートであり、前記プラグは、前記一対の挟持部の相対向する相対向面からそれぞれ突出するロックプレートの少なくとも一方のロックプレートを、常に前記ダクト本体の外側面側に突出するように押圧する支持する弾性部材と、前記少なくとも一方のロックプレートを前記弾性部材の弾性力に抗して前記ダクト本体の外側面側から離間する方向に退避させる操作部とを設けたことを特徴とする。
【００１０】
前記発明の給電ダクト用のプラグにおいて、前記嵌着凹部は、前記ダクト本体の両外側面に長手方向に沿って形成された断面コ字状の嵌着溝であり、前記ロックプレートは、断面コ字状の嵌着溝に嵌着し、その嵌着した嵌着溝に沿って摺動可能な係止爪を有していることを特徴とする。
【００１２】
前記発明の給電ダクト用のプラグにおいて、前記挟持部の相対向する相対向面から突出するロックプレートは、前記挟持部に沿って２個設けられ、前記２個のロックプレートに対して設けられた操作部は、前記ロックプレートの突出方向に対して直交する方向であって、互いに近づける方向に押圧操作することによって、各ロックプレートを前記弾性部材の弾性力に抗して前記挟持部の相対向面側に退避させることを特徴とする。
【００１３】
前記発明の給電ダクト用のプラグにおいて、前記給電ダクトは、内部に１次コイルと、前記１次コイルを励磁する１次コイル用回路とを備えた非接触給電ダクトであり、前記電気機器は、内部に２次コイルと、前記１次コイルの励磁により、電磁誘導にて前記２次コイルに２次電力を発生させ、該２次電力を負荷に供給する２次コイル用回路とを備えたものであることを特徴とする。
【００１４】
本発明の給電ダクト用のプラグは、内部に給電部を配置した細長い給電ダクトに対して、そのダクト本体の給電面に相対向して配置されて前記給電部からの電力を供給する電気機器を取り付ける給電ダクト用のプラグであって、前記プラグに、前記ダクト本体の給電面を挟んで形成された前記ダクト本体の両外側面に対して対峙する相対向面を有する一対の挟持部を設け、その前記ダクト本体の両外側面と対峙する相対向面に、前記プラグと前記ダクト本体を連結する連結部材を形成し、前記プラグは、前記一対の挟持部の下側に前記電気機器の少なくとも上部を内包する開口部を有した収容部と、前記収容部に内包された前記電気機器の少なくとも上部を、前記ダクト本体側に押圧し、前記電気機器の上面を前記ダクト本体の給電面に対峙させる押圧部とを設けたことを特徴とする。
【００１５】
前記発明の給電ダクト用のプラグにおいて、前記収容部は、相対向する一対の円弧状の枠体であって、その一対の円弧状の枠体で形成される円形の空間に、前記電気機器の少なくとも上部が、前記空間の中心軸を中心に回動可能に配置され、前記押圧部は、前記一対の枠体の内側に、それぞれ両側から枠体の中央位置に行くほど高くなる段差面を形成し、前記電気機器の上部側面に形成した突起が、前記空間の中心軸を中心に回動する時、前記段差面を摺接して前記電気機器の上面を前記ダクト本体の給電面に押圧させることを特徴とする。
【００１６】
前記発明の給電ダクト用のプラグにおいて、前記段差面の中央位置には、前記電気機器の上部側面に形成した突起が、嵌着する嵌合凹部が形成されていることを特徴とする。
前記発明の給電ダクト用のプラグにおいて、前記電気機器の上部側面に形成した突起が、前記電気機器の少なくとも上部を回動させて前記押圧部の段差面の両側に位置する際に、前記電気機器を前記給電ダクトから離間する方向に押圧する離間部を備えたことを特徴とする。
【００１７】
前記発明の給電ダクト用のプラグにおいて、前記離間部は、前記押圧部の段差面の両側に前記突起が位置する際に、前記突起を保持するように構成されたことを特徴とする。
前記発明の給電ダクト用のプラグにおいて、前記電気機器は、照明器具であることを特徴とする。
【００１８】
本発明の電気機器の取り付け構造は、内部に給電部を配置した細長い給電ダクトに対して、そのダクト本体の給電面に相対向して配置されて前記給電部からの電力を供給する電気機器をプラグを介して取り付ける電気機器の取り付け構造であって、前記プラグに、前記ダクト本体の給電面を挟んで形成された前記ダクト本体の両外側面に対して対峙する相対向面を有する一対の挟持部を設け、その前記ダクト本体の両外側面と対峙する相対向面に、前記プラグと前記ダクト本体を連結する連結部材を形成し、前記一対の挟持部の下側に前記電気機器の少なくとも上部を内包する開口部を有した収容部と、該収容部に内包された前記電気機器の少なくとも上部を、前記ダクト本体側に押圧するとともに前記電気機器の上面を前記ダクト本体の給電面に対峙させる押圧部とを備え、前記収容部は、相対向する一対の円弧状の枠体であって、その一対の円弧状の枠体で形成される円形の空間に、前記電気機器の少なくとも上部が、前記空間の中心軸を中心に回動可能に配置され、前記押圧部は、前記一対の枠体の内側に、それぞれ両側から枠体の中央位置に行くほど高くなる段差面を形成し、前記電気機器の上部側面に形成した突起が、前記空間の中心軸を中心に回動する時、前記段差面を摺接して前記電気機器の上面を前記ダクト本体の給電面に押圧させるものであり、前記電気機器には、その上部側面に形成した突起が前記押圧部の段差面の両側に位置する際に、前記電気機器を前記給電ダクトから離間する方向に押圧する離間部を備えたことを特徴とする。
【発明の効果】
【００１９】
本発明によれば、給電ダクトに接続される電気機器の取り付け及び取り外しを容易に行うことができる。
【図面の簡単な説明】
【００２０】
【図１】ライティングダクトが設置された室内を示す図である。
【図２】ライティングダクトに取付られた照明器具の取付状態を示す斜視図である。
【図３】ライティングダクト、プラグ、照明器具の構成を示す分解斜視図である。
【図４】照明器具の正面図である。
【図５】プラグの全体斜視路図である。
【図６】ライティングダクトのプラグが取り付けられている状態を示す断面図である。
【図７】プラグを説明するための要部切り欠け斜視図である。
【図８】ロックプレートが保持位置にある状態を示すプラグの平面図である。
【図９】ロックプレートが退避位置にある状態を示すプラグの平面図である。
【図１０】ライティングダクトと照明器具の電気的構成を示す電気ブロック回路図である。
【図１１】第２実施形態のプラグの平面図である。
【図１２】別例のプラグを斜め下側から見た斜視図である。
【図１３】同上のプラグに照明器具が取り付けられている状態を示す断面図である。
【図１４】別例のライティングダクトに取付られた照明器具の取付状態を示す斜視図である。
【図１５】同上のライティングダクトに取付られた照明器具の器具離間状態を示す斜視図である。
【図１６】別例における照明器具の斜視図である。
【発明を実施するための形態】
【００２１】
（第１実施形態）
以下、本発明の非接触の給電ダクトに用いられる給電ダクト用プラグを照明器具に給電する非接触給電方式のライティングダクトに具体化した第１実施形態を図面に従って説明する。
【００２２】
図１において、非接触の給電ダクトとしての非接触給電方式のライティングダクト１は鎖、紐等の吊下部材２にて、室内Ｒの天井Ｒａから吊下されている。ライティングダクト１は、電気機器としての照明器具３が給電ダクト用のプラグ４を介して連結保持されるようになっている。
（ライティングダクト１）
給電ダクトとしてのライティングダクト１は、図２、図３に示すように、そのダクト本体５が細長い合成樹脂製の四角筒状のなし、そのダクト本体５の裏板部６が天井Ｒａと吊下部材２と連結される。ダクト本体５は、裏板部６の幅方向の両長側辺から下方に長側板部７がそれぞれ延出形成されている。また、ダクト本体５は裏板部６の長手方向の両短側辺から短側板部８が下方にそれぞれ延出形成されている。そして、その長側板部７及び短側板部８によって下方に開口する開口部を、給電面を形成する表板部９が閉塞することによって、密閉された収容室を有した細長い四角筒状のダクト本体５が形成されている。
【００２３】
ダクト本体５内には、給電部を構成する複数の１次コイルＬ１（図１０参照）が表板部９の内側面と平行になるように収容配置されている。複数の１次コイルＬ１は、表板部９に沿って配置され、その表板部９の内側面に接触するくらいに近接した位置に配置固定されている。
【００２４】
また、ダクト本体５内であって各１次コイルＬ１に隣接した位置には、その近接した位置にある１次コイルＬ１をそれぞれ励磁駆動制御するための同じく給電部を構成する複数の給電モジュールＭ（図１０参照）が内蔵されている。各給電モジュールＭはそれぞれ対応する１次コイルＬ１と接続されている。そして、各１次コイルＬ１は、各給電モジュールＭにて単独でまたは他の１次コイルＬ１と協働して励磁駆動し、ダクト本体５に連結される照明器具３に対して非接触給電をするようになっている。
【００２５】
また、ダクト本体５の両長側板部７の外側面に、断面コ字状の嵌着溝７ａが形成されている。両長側板部７に形成された嵌着溝７ａは、長側板部７の表板部９寄りに形成され、互いに相対向する位置であってダクト本体５の長さ方向に沿って互いに平行に形成されている。
（照明器具３）
電気機器としての照明器具３は、円柱状になし、上部に本体１１より外径が小さい縮径部１２を有している。照明器具３は、負荷としてのＬＥＤ、有機ＥＬ、無機ＥＬ等の発光素子５１（図１０参照）を本体１１に内蔵し、これら発光素子５１を発光させることによって室内Ｒの照明に供する。
【００２６】
照明器具３内であって縮径部１２に位置する箇所には、２次コイルＬ２（図１０参照）が照明器具３の上面３ａと平行になるように収容配置されている。２次コイルＬ２は、ダクト本体５内に配置固定した１次コイルＬ１の励磁を介して励磁給電、すなわち、電磁誘導にて２次電力を発生する。そして、２次コイルＬ２に発生した２次電力は、２次コイル用回路としての駆動回路５２（図１０参照）を介して照明器具３の発光素子５１に供給する。
【００２７】
照明器具３の縮径部１２の外側面には、図３に示すように、一対のガイド片１３が突出形成されている。一対のガイド片１３は、縮径部１２を挟んで１８０度対称位置に突出形成されている。一対のガイド片１３は、その上面１３ａが照明器具３の上面３ａと同一平面となるように形成されている。
【００２８】
また、一対のガイド片１３は、図４に示すように、その下面が両側から中央位置にいくほど下方に向かって傾斜するテーパ面１３ｂが形成されている。そして、一対のガイド片１３の下面には、両側から延びる両テーパ面１３ｂが交差する中央部分が稜線となって突起部１４が形成される。
（プラグ４）
給電ダクト用のプラグとしてのプラグ４は、同プラグ４を介して照明器具３をライティングダクト１に連結保持する。
【００２９】
プラグ４は、図５に示すように、相対向して平行に配置された一対の挟持部２１と、同じく相対向して平行に配置され前記一対の挟持部２１の下部両端部間を連結する一対の収容部２２を有している。
【００３０】
一対の挟持部２１は、その相対向する相対向面２１ａ間の間隔が、ダクト本体５の両長側板部７の外側面間の間隔より若干大きく形成されている。従って、一対の挟持部２１間に、ダクト本体５が図６に示すように介在し、挟持部２１の相対向面２１ａが、長側板部７の外側面と対峙するようになっている。
【００３１】
一対の挟持部２１内には、図７、図８に示すように、長手方向に２個のロックプレート２３が設けられている。２個のロックプレート２３は、係止爪２３ａを有し、その係止爪２３ａが挟持部２１の相対向面２１ａに形成した貫通穴２４から出没するように移動可能に配置されている。
【００３２】
ロックプレート２３は、図８に示すように、係止爪２３ａと反対側の背面２３ｂには、一対のガイド棒２３ｃが突出形成され、そのガイド棒２３ｃには弾性部材としてのコイルスプリングＳＰが巻回されている。
【００３３】
コイルスプリングＳＰは、一端がロックプレート２３の背面２３ｂに当接し、他端がその背面２３ｂと対向する挟持部２１の内側面２１ｂと当接し、常に係止爪２３ａが相対向面２１ａから突出する方向にロックプレート２３に対して弾性力を付与している。
【００３４】
ロックプレート２３の一側には、従動片２６が一体的に延出形成されている。従動片２６は、その先端部を斜状に切り欠いて従動カム面２６ａが形成されている。
挟持部２１の長手方向の両側面には、操作部材としてのボタン２７が挟持部２１内を移動可能に貫挿されている。ボタン２７は、挟持部２１内に配設された先端部分が幅広に形成され、その幅広部分２８が挟持部２１の長手方向の内側面２１ｃと係合して抜けないようになっている。幅広部分２８の先端部は、斜状に切り欠いて可動カム面２８ａを形成している。可動カム面２８ａは、従動カム面２６ａと当接するようになっている。
【００３５】
そして、ボタン２７をロックプレート２３に向かって押圧操作すると、可動カム面２８ａが従動カム面２６ａを押圧する。このとき、可動カム面２８ａと従動カム面２６ａのカム作用により、従動片２６（ロックプレート２３）は、コイルスプリングＳＰの弾性力に抗して挟持部２１の内側面２１ｂ側に後退する。その結果、ロックプレート２３の係止爪２３ａは、挟持部２１に形成した貫通穴２４に没入する退避位置（図９参照）に案内される。
【００３６】
反対に、ロックプレート２３の係止爪２３ａが退避位置に位置している状態から、押圧していたボタン２７を離すと、ロックプレート２３の係止爪２３ａは、コイルスプリングＳＰの弾性力にて挟持部２１の相対向面２１ａに形成した貫通穴２４から突出するとともに、ボタン２７は反押圧方向に移動する。このとき、ボタン２７の幅広部分２８が挟持部２１の内側面２１ｃと係合したとき、係止爪２３ａのそれ以上の貫通穴２４からの突出が規制される。
【００３７】
従って、ボタン２７を押圧操作してロックプレート２３（係止爪２３ａ）を退避位置に案内させることによって、一対の挟持部２１間に、ダクト本体５を介在させ、挟持部２１の相対向面２１ａと長側板部７の外側面を対峙させることができるようになっている。そして、一対の挟持部２１間にダクト本体５を介在させた状態で、押圧していたボタン２７を離すと、ロックプレート２３の係止爪２３ａは、コイルスプリングＳＰの弾性力にて挟持部２１に形成した貫通穴２４から突出し、図６、図８に示すように、係止爪２３ａがダクト本体５の両長側板部７の外側面の嵌着溝７ａに嵌着する。これによって、プラグ４はダクト本体５に挟持連結する。
【００３８】
従って、ボタン２７を操作するだけで、プラグ４は挟持部２１間にダクト本体５を介在させ同ダクト本体５に連結保持される。すなわち、ライティングダクト１が吊下部材２を介して天井Ｒａに吊下された状態で、簡単にプラグ４をダクト本体５に取り付けることができる。
【００３９】
なお、プラグ４をダクト本体５から外す場合は、ボタン２７を押圧操作すればよい。押圧操作することによって嵌着溝７ａに嵌着していた係止爪２３ａが嵌着溝７ａから離間し退避位置に案内されるため、プラグ４をダクト本体５から容易に外すことができる。
【００４０】
一対の挟持部２１の下部両端部間を連結する一対の収容部２２は、相対向する一対の円弧状の枠体で形成されている。収容部２２は、図６に示すように、ロックプレート２３の係止爪２３ａがダクト本体５を挟持連結している状態にあるとき、その上面２２ａがダクト本体５の表板部９の外側面（給電面）と当接するようになっている。
【００４１】
その一対の円弧状の収容部２２の内周面で囲まれる円形の空間Ｓは、前記照明器具３の縮径部１２が内包される大きさに形成されている。収容部２２の内周面は、上部に内径が大きい大径部３１を、下部に内径が小さい小径部３２を有し、その大径部３１と小径部３２を結ぶ面を段差面３３としている。そして、大径部３１の曲率半径は、照明器具３の円形の上面３ａの中心から前記ガイド片１３の先端までの長さより大きくなっている。また、小径部３２の曲率半径は、大径部３１の曲率半径より小さく、照明器具３の円形の上面３ａの半径より大きくなっている。
【００４２】
段差面３３は、収容部２２の両側部から中央位置に行くほど登り傾斜のテーパ面３３ａであって、その両側から延びるテーパ面３３ａが交差する稜線部分を凹設して嵌着溝３４が形成されている。
【００４３】
照明器具３は、その上面３ａをプラグ４に向けるとともにその上面３ａの中心と収容部２２の内周面で囲まれる円形の空間Ｓの中心が一致するように、ダクト本体５に連結したプラグ４に対して対向配置する。続いて、照明器具３を、縮径部１２に突出形成した一対のガイド片１３が、一対の収容部２２と平行になるように配置して、空間Ｓ内に挿入する。このとき、照明器具３は、ガイド片１３が小径部３２に衝突することなく空間Ｓに配置される。
【００４４】
この状態から、照明器具３を円形の空間Ｓの中心軸を中心に回動させると、照明器具３は、ガイド片１３が段差面３３より上方位置の大径部３１に案内される。これによって、一対のガイド片１３の下面（突起部１４）が段差面３３（テーパ面３３ａ）に当接し、照明器具３は収容部２２（プラグ４）と係合状態になる。
【００４５】
さらに、照明器具３を回動させると、ガイド片１３の突起部１４が段差面３３のテーパ面３３ａを摺動し、その摺動にともなって、照明器具３は上動する。すなわち、照明器具３の上面３ａは、上方に位置するダクト本体５の表板部９の外側面（給電面）に近接していく。やがて、ガイド片１３の突起部１４が段差面３３の嵌着溝３４に嵌合する使用位置に回動案内される。この使用位置では、照明器具３は、その上面３ａがダクト本体５の表板部９の外側面（給電面）に当接する。しかも、段差面３３の弾性変形によるガイド片１３を上に押し上げようとする押圧力によって照明器具３の上面３ａをダクト本体５の表板部９の外側面（給電面）に対して押圧接触させている。
【００４６】
従って、ダクト本体５内に配置した１次コイルＬ１の励磁し電磁誘導にて２次電力を発生する際の磁束の漏れを小さくすることができ、非接触給電の効率を上げることができる。
【００４７】
さらに、この使用位置において、ガイド片１３の突起部１４が段差面３３の嵌着溝３４に嵌合していることから、人の手を加えられない限り、照明器具３が使用位置から容易に外れることはない。
【００４８】
なお、プラグ４は、図５に示すように、２個のプラグボディ４１、２個のプラグカバー４２、４個のロックプレート２３、４個のボタン２７、８個のコイルスプリングＳＰ、４個のネジ４３等の構成部品から構成されている。
【００４９】
２個のプラグボディ４１は、互いにネジ４３で連結することにより、プラグ４の収容部２２と挟持部２１のベース部Ｂを形成するようになっている。そして、挟持部２１のベース部Ｂには、ロックプレート２３、ボタン２７、及びコイルスプリングＳＰを配設する。挟持部２１のベース部Ｂにロックプレート２３、ボタン２７、及びコイルスプリングＳＰを配設した状態で、前記貫通穴２４が形成されたプラグカバー４２をネジ４３にて連結することによって、ロックプレート２３を収容する挟持部２１が形成されるようになっている。
【００５０】
次に、ダクト本体５と照明器具３に設けられた電気的構成を図１０に従って説明する。
図１０において、照明器具３に備えた２次コイルＬ２は、発光素子５１と接続され、その発光素子５１は２次コイルＬ２に発生する２次電力が駆動回路５２を介して供給され発光するようになっている。また、照明器具３には、機器側送受信回路５３が備えられている。
【００５１】
機器側送受信回路５３は、送受信アンテナＡＴ２と接続されている。機器側送受信回路５３はダクト本体５に対して該ダクト本体５にて給電を受けられる照明器具３である旨の機器認証信号ＩＤ、及び、ダクト本体５に対して給電を要求する励磁要求信号ＲＱを生成する。そして、機器側送受信回路５３は、その生成した機器認証信号ＩＤ及び励磁要求信号ＲＱを、送受信アンテナＡＴ２を介してダクト本体５に送信するようになっている。
【００５２】
一方、図１０において、ダクト本体５に設けられた各１次コイルＬ１に対して給電モジュールＭがそれぞれ設けられている。また、各給電モジュールを統括制御するシステム制御部５４が設けられている。各給電モジュールＭは、励磁要求受信回路５５、機器認証受信回路５６、励磁制御回路５７、高周波インバータ回路５８を備えている。
【００５３】
励磁要求受信回路５５は、該給電モジュールＭの信号受信アンテナＡＴ１と接続され、該給電モジュールＭに対峙する給電面（表板部９の外側面）に取り付けられた照明器具３から送信された送信信号を、信号受信アンテナＡＴ１を介して受信する。励磁要求受信回路５５は、受信した送信信号から給電を要求する励磁要求信号ＲＱを抽出する。そして、励磁要求受信回路５５は、送信信号から励磁要求信号ＲＱを抽出すると、その励磁要求信号ＲＱを励磁制御回路５７に出力するようになっている。
【００５４】
機器認証受信回路５６は、該給電モジュールＭの信号受信アンテナＡＴ１と接続され、該給電モジュールＭに対峙する給電面（表板部９の外側面）に取り付けられた照明器具３から送信された送信信号を、信号受信アンテナＡＴ１を介して受信する。機器認証受信回路５６は、受信した送信信号から給電が受けられる照明器具３である機器認証信号ＩＤを抽出する。そして、機器認証受信回路５６は、送信信号から機器認証信号ＩＤを抽出すると、その機器認証信号ＩＤを励磁制御回路５７に出力するようになっている。
【００５５】
励磁制御回路５７は、その時々に出力される励磁要求受信回路５５からの励磁要求信号ＲＱ及び機器認証受信回路５６からの機器認証信号ＩＤを入力する。そして、励磁制御回路５７は、その時々で入力される励磁要求信号ＲＱ及び機器認証信号ＩＤを、自身の給電モジュールＭを識別するモジュール識別信号を付加して、システム制御部５４に出力する。
【００５６】
励磁制御回路５７は、システム制御部５４に励磁要求信号ＲＱ及び機器認証信号ＩＤを出力することにより、システム制御部５４から許可信号ＥＮを待つ。
システム制御部５４は、（１）励磁要求信号ＲＱを入力している場合であって、（２）機器認証信号ＩＤを入力している場合には、当該給電モジュールＭに接続された１次コイルＬ１を給電のために励磁駆動させる許可信号ＥＮを励磁制御回路５７に出力する。そして、励磁制御回路５７は、システム制御部５４からの許可信号ＥＮを入力すると、給電のために１次コイルＬ１を励磁駆動させる駆動制御信号ＣＴを高周波インバータ回路５８に出力する。
【００５７】
なお、システム制御部５４は、許可信号ＥＮを出力中に、励磁制御回路５７からの励磁要求信号ＲＱ及び機器認証信号ＩＤの少なくともいずれかが入力されなくなったときには、許可信号ＥＮを出力しない。従って、この場合にも、励磁制御回路５７は、駆動制御信号ＣＴを高周波インバータ回路５８に出力しない。
【００５８】
高周波インバータ回路５８は、該給電モジュールＭの１次コイルＬ１と接続されている。そして、高周波インバータ回路５８は、駆動制御信号ＣＴに基づいて１次コイルＬ１を励磁駆動させるようになっている。
【００５９】
詳述すると、高周波インバータ回路５８は、励磁制御回路５７から１次コイルＬ１を励磁駆動させるための駆動制御信号ＣＴを入力すると、給電のために１次コイルＬ１を励磁
駆動させるようになっている。
【００６０】
従って、ライティングダクト１にプラグ４を介して取り付けられた照明器具３が該給電モジュールＭに対峙する給電面（表板部９の外側面）に取り付けられ、同照明器具３から機器認証信号ＩＤ及び励磁要求信号ＲＱが送信されている場合には、１次コイルＬ１は、高周波インバータ回路５８にて励磁駆動される。即ち、１次コイルＬ１は、非接触給電により照明器具３に２次電力を供給すべく励磁駆動される。
【００６１】
高周波インバータ回路５８は、発振回路５８ａとその発振回路５８ａを発振駆動させる信号を生成する励磁同期信号発生回路５８ｂを備えている。発振回路５８ａは、１次コイルＬ１と接続され同１次コイルＬ１を励磁駆動する。
【００６２】
なお、システム制御部５４は、図示しない電源スイッチがオンされたとき、各モジュールＭの高周波インバータ回路５８に対して１次コイルＬ１を間欠的に励磁駆動させるようになっている。この間欠的な各１次コイルＬ１の励磁駆動は、照明器具３の機器認証受信回路５６を働かせるためである。つまり、照明器具３がダクト本体５に取り付けられた時点では、照明器具３の機器認証受信回路５６は電力の供給を受けず休止状態にある。そこで、照明器具３がダクト本体５に取り付けられた時、１次コイルの間欠励磁によって２次コイルＬ２から２次電力を発生させ、この２次電力を機器認証受信回路５６に供給して働かせるためである。
【００６３】
従って、照明器具３は、プラグ４を介してダクト本体５に取り付けられると、その取り付けた位置にて、非接触給電を受けて点灯する。
次に、上記のように構成したプラグ４のライティングダクト１への取り付け方法と照明器具３のプラグ４への取り付け方法について説明する。
【００６４】
（プラグ４のライティングダクト１への取り付け）
今、プラグ４のそれぞれの挟持部２１の２個のボタン２７を、左手及び右手の親指と人差し指を使ってそれぞれ押圧操作して、それぞれのロックプレート２３（係止爪２３ａ）を退避位置に案内させる。そして、ロックプレート２３（係止爪２３ａ）が退避位置に退避した状態して、両挟持部２１間にダクト本体５を介在させる。このとき、プラグ４を、ライティングダクト１に沿って移動させて、取り付け位置を決めるようにしてもよい。
【００６５】
取り付け位置が決まると、手の指で押圧していたボタン２７を離すと、ロックプレート２３（係止爪２３ａ）は、コイルスプリングＳＰの弾性力にて挟持部２１に形成した貫通穴２４から突出し、係止爪２３ａがダクト本体５の両長側板部７の嵌着溝７ａに嵌着する。これによって、プラグ４はダクト本体５に連結保持される。
【００６６】
従って、ボタン２７を操作するだけで、プラグ４をダクト本体５に連結保持できることから、ライティングダクト１が天井Ｒａから吊下された状態でも、プラグ４をダクト本体５に対して容易に取り付けることができる。
【００６７】
このとき、ロックプレート２３の係止爪２３ａが、ライティングダクト１の表板部９を挟んで形成されるライティングダクト１に形成された嵌着溝７ａに嵌着される。しかも、ライティングダクト１の両外側方から内方に向かって押圧挟持される。その結果、ライティングダクト１に嵌着した状態で、プラグ４に下方に荷重が加わったとき、ロックプレート２３の係止爪２３ａは、嵌着溝７ａに食い込む方向の力が付与されてより外れ難くなる。また、連結に関与する係止爪２３ａは、ライティングダクト１の外側面に当接し、ライティングダクト１内部と直接に当接係合することがないので、ライティングダクト１内に設けた給電部を損傷させることはない。
【００６８】
さらに、ロックプレート２３の係止爪２３ａがライティングダクト１の嵌着溝７ａに嵌着した状態で、プラグ４をライティングダクト１に沿って移動させることができる。このとき、プラグ４はライティングダクト１から外れることなく、所望の位置に位置決め固定でき、照明器具３のレイアウト作業が容易に行える。
【００６９】
また、プラグ４をダクト本体５から外す場合も、ボタン２７を押圧操作して、嵌着溝７ａに嵌着していた係止爪２３ａを嵌着溝７ａから離間させるだけで、プラグ４をダクト本体５から容易に外すことができる。従って、プラグ４のダクト本体５からの取り外し作業も非常に容易に行うことができる。
【００７０】
（照明器具３のプラグ４への取り付け）
次に、ライティングダクト１に取り付けたプラグ４に照明器具３を取り付けるには以下の方法で行われる。
【００７１】
照明器具３の縮径部１２をプラグ４の収容部２２で囲まれる空間Ｓ内にガイド片１３が当たらないように配置する。
この状態から、照明器具３を空間Ｓの中心軸を中心に回動させ、照明器具３のガイド片１３（突起部１４）を段差面３３のテーパ面３３ａを摺動させて、照明器具３を上動させる。そして、照明器具３の上面３ａを、上方に位置するダクト本体５の表板部９の外側面（給電面）に近接させる。やがて、ガイド片１３の突起部１４が段差面３３の嵌着溝３４に嵌合すると、照明器具３のプラグ４への取り付けが完了する。
【００７２】
この時、照明器具３は、その上面３ａがダクト本体５の表板部９の外側面（給電面）に当接する。しかも、段差面３３の弾性変形によるガイド片１３を上に押し上げようとする押圧力によって照明器具３の上面３ａがダクト本体５の表板部９の外側面（給電面）に対して押圧接触する。
【００７３】
上記のように構成することによって、本実施形態は以下の効果を有する。
（１）本実施形態によれば、ダクト本体５の長側板部７の外側面に嵌着溝７ａを設け、プラグ４の挟持部２１の相対向面２１ａに、前記嵌着溝７ａの嵌着するロックプレート２３（係止爪２３ａ）を設けた。そして、プラグ４の一対の挟持部２１間にライティングダクト１を介在させ、両挟持部２１に設けたロックプレート２３の係止爪２３ａをライティングダクト１の両外側面の嵌着溝７ａに嵌着させることによって、プラグ４をライティングダクト１に連結した。従って、ダクト本体５に対するプラグ４の取り付け及び取り外し作業が非常に容易となる。
【００７４】
しかも、ロックプレート２３の係止爪２３ａがライティングダクト１の嵌着溝７ａに嵌着した状態で、プラグ４をライティングダクト１に沿って移動させることができることから、所望の位置に位置決め固定でき、照明器具３のレイアウト作業が容易に行える。
【００７５】
また、プラグ４に対するライティングダクト１の連結部分がライティングダクト１の外側面となり、ライティングダクト１内部と直接に当接係合することがない。その結果、ライティングダクト１内に設けた給電部を損傷させることはない。
【００７６】
また、プラグ４からの連結部材をライティングダクト１内部に挿入させるためのスリット等の開口部をライティングダクト１に形成しない。従って、ライティングダクト１は、密閉状態となり、ライティングダクト１内の給電部を露出させない。その結果、本実施形態のライティングダクト１においては、雨等にさらされる屋外においても使用することができる。
（２）本実施形態では、プラグ４のそれぞれの挟持部２１にボタン２７を設け、これらボタン２７をワンタッチ操作で、ロックプレート２３（係止爪２３ａ）を退避位置と保持位置に案内させるようにした。従って、プラグ４の取り付け及び取り外し作業がより容易となる。
（３）本実施形態では、ロックプレート２３の係止爪２３ａを、ライティングダクト１の嵌着溝７ａに嵌着されて連結したので、プラグ４はライティングダクト１に対してより強固に連結される。
（４）本実施形態では、ライティングダクト１に連結されたプラグ４の空間Ｓ内に照明器具３の縮径部１２を空間Ｓの中心軸を中心に回動させ、縮径部１２のガイド片１３（突起部１４）を段差面３３のテーパ面３３ａを摺動させて、照明器具３を上動させることによって、照明器具３のプラグ４への取り付けるようにした。従って、照明器具３の取り付け及び取り外しが容易となる。
【００７７】
しかも、回動させるだけで、照明器具３は、その上面３ａがダクト本体５の表板部９の外側面（給電面）に当接させることができ、ダクト本体５内に配置した１次コイルＬ１を励磁して電磁誘導にて２次コイルＬ２に２次電力を発生する際の磁束の漏れを小さくし、非接触給電の効率を上げることができる。
【００７８】
さらに、照明器具３の上面３ａがダクト本体５の表板部９の外側面（給電面）に当接した状態では、ガイド片１３の突起部１４が段差面３３の嵌着溝３４に嵌合するため、人の手を加えられない限り、照明器具３が容易に外れることはない。
（第２実施形態）
次に、第２実施形態について、図１１に従って説明する。
【００７９】
本実施形態のプラグ６０は、第１実施形態のプラグ４が、一対の挟持部２１にそれぞれロックプレート２３がライティングダクト１に向かって移動に設けたのに対して、一対の挟持部２１のいずれか一方の挟持部２１に設けたロックプレートのみ移動可能にし、他方の挟持部２１に設けたロックプレート２３は移動不能にした点に特徴を有している。
【００８０】
なお、説明の便宜上、第１実施形態と共通の部分については、同じ符号を付して詳細な説明を省略する。
図１１に示すように、プラグ６０の一方（図１１において左側）の挟持部２１には、固定ロックプレート６１が、右側のロックプレート２３と相対向してそれぞれ配置されている。
【００８１】
固定ロックプレート６１は、ロックプレート２３と同様に係止爪６１ａを有する。また、固定ロックプレート６１の背面６１ｂには、一対に規制片６２が延出形成されている。規制片６２は、その先端部が、挟持部２１の内側面２１ｂに形成した嵌合凹部６３に嵌合し、接着剤等で固着されている。従って、固定ロックプレート６１は、挟持部２１に対して移動不能に固定される。そして、本実施形態では、固定ロックプレート６１の係止爪６１ａは、右側のロックプレート２３がボタン２７を離したときに係止爪２３ａが突出する突出量と同じ値になるように相対向面２１ａから突出させている。
【００８２】
そして、右側の挟持部２１の２個のボタン２７を、左手及び右手の親指と人差し指を使ってそれぞれ押圧操作して、ロックプレート２３（係止爪２３ａ）を退避位置に案内させる。
【００８３】
そして、ロックプレート２３（係止爪２３ａ）が退避位置に退避した状態して、両挟持部２１間にダクト本体５を介在させる。このとき、固定ロックプレート６１の係止爪６１ａがダクト本体５の嵌着溝７ａに嵌着させるように、プラグ４を、ダクト本体５に介在させる。そして、係止爪６１ａを嵌着溝７ａに嵌着させた状態で、プラグ４内にダクト本体５が介在すると、手の指で押圧していたボタン２７を離すと、ロックプレート２３（係止爪２３ａ）は、コイルスプリングＳＰの弾性力にて挟持部２１に形成した貫通穴２４から突出し、係止爪２３ａがダクト本体５の両長側板部７の嵌着溝７ａに嵌着する。これによって、プラグ４はダクト本体５に挟持連結する。
【００８４】
これによって、第１実施形態と同様な効果で、プラグ６０をライティングダクト１に対して容易に取り付け及び取り外しすることができる。
尚、本発明は、上記実施形態に限定されるものではなく以下のように実施してもよい。
【００８５】
（１）上記各実施形態では、長側板部７の外側面に形成した嵌着溝７ａを形成し、その嵌着溝７ａに挟持部２１の相対向面２１ａから出没するロックプレート２３の係止爪２３ａを嵌着させるようにした。これを、例えば、ダクト本体５の長側板部７の外側面に突条部を長手方向に沿って形成する。一方、プラグ４の挟持部２１のロックプレートには、係止爪２３ａに替えて前記突条部を嵌合する嵌合凹部にして実施してもよい。この場合にも、連結構造がダクト本体５の外側面に設けられるので、取り付け及び取り外し作業が容易となる。
【００８６】
また、ダクト本体５の長側板部７の外側面に長手方向に沿って所定の間隔で貫通穴又は凹部を形成する。一方、プラグ４の挟持部２１のロックプレートには、係止爪２３ａに替えて前記貫通穴又は凹部を嵌合する嵌合突起にして実施してもよい。この場合にも、連結構造がダクト本体５の外側面に設けられるので、取り付け及び取り外し作業が容易となる。
【００８７】
（２）上記実施形態のライティングダクト１は、吊下部材２を介して天井Ｒａから吊下したが、これに限定されるものではない。例えば、室内Ｒの天井Ｒａに対して、ダクト本体５の裏板部６を直接固定して実施しても良い。勿論、室内Ｒの壁面や、床面、柱に対して、ダクト本体５の裏板部６を直接固定して実施しても良い。
【００８８】
（３）上記実施形態のライティングダクト１は、非接触給電ダクトであったが、給電面に、スリットが長手方向に沿って形成され、ダクト本体内の導電体と照明器具がそのスリットを介して電気的に摺動可能に接続される接触給電ダクトに使用するプラグに応用してもよい。
【００８９】
（４）上記実施形態のライティングダクト１は、照明器具３を取り付けるようにしたが、これに限定されるものではなく、スピーカ、扇風機、空調用のファン等を取り付けるように実施してもよい。つまり、プラグ４は、ライティングダクト１に対して、照明器具３ばかりでなく、スピーカ、扇風機、空調用のファン等の電気機器をライティングダクト１に取り付けるプラグとして実施してもよい。
【００９０】
（５）上記実施形態では、挟持部２１に２個のロックプレート２３を設けたが、１つであってもよい。
（６）上記実施形態では、ダクト本体５に照明器具３を１つ取り付けたが、２個以上取り付けて実施してもよい。
【００９１】
（７）上記実施形態では特に言及していないが、図１２及び図１３に示すようにプラグ７０は、第１実施形態のプラグ４の段差面３３と対向する対向面７１を、収容部２２（段差面３３）の周方向両側ほど前記段差面３３に近接するようなテーパ面形状とされる。このような構成とすることで、例えば照明器具３（電気機器）を前記ライティングダクト１に対して回動させて、段差面３３の周方向両側に照明器具３を前記ライティングダクト１から離間させる方向に押圧させることができる。これにより、ガイド片１３を段差面３３の中央に配置した状態（図中、１３Ｂで示す）と比較して前記ライティングダクト１と照明器具３との接触面積（図中、１３Ａで示す）を抑えることができる。このため、照明器具３をライティングダクト１にプラグ７０を介して装着する際に、容易に取り付けることが可能となる。また、更に対向面７１は、周方向端部側が、前記段差面３３との間で前記ガイド片１３を挟持するほどまで前記段差面３３に近接される形状としてもよい。このような構成とすることで、照明器具３（電気機器）と前記ライティングダクト１との接触面積を抑えた状態で保持することができるため、取付時に照明器具３がプラグ７０に対して回動して、図中１３Ｂで示す状態とされることが抑えられるため、より容易に照明器具３をライティングダクト１取り付けることが可能となる。
【００９２】
また、図１４及び図１５に示すように電気機器としての照明器具３の本体８０の上面８１に押し上げ用突起部８２を設ける構成を採用してもよい。このような構成とすることで、例えば、照明器具３（電気機器）を回動させると、前記押し上げ用突起部８２によりプラグ４を構成するプラグボディ４１の下端面４１ａと当接して照明器具３が前記ライティングダクト１から離間させる方向に押圧させることができる。このため、上記構成と同様に前記ライティングダクト１と照明器具３との接触面積を抑えることができる。このため、照明器具３をライティングダクト１にプラグ７０を介して装着する際に、容易に取り付けることが可能となる。
【００９３】
（８）上記実施形態では、照明器具３を構成する本体１１と縮径部１２とを一体としたが、例えば図１６に示すように照明器具９０を構成する本体９１とコイルＬ２を収容する縮径部９２とを別体としてもよい。この場合、図１６に示すように縮径部１２を本体９１の上面９１ａに形成される電気接続穴９１ｃにて電気的に接続することで、コイルＬ２で受電した電力を照明器具９０の本体９１側に供給することが可能となる。なお、この場合であっても上記構成の様に照明器具９０の本体９１にライティングダクト１から離間させる方向に押圧する押し上げ用突起部９１ｂを設けてもよい。
【符号の説明】
【００９４】
１…ライティングダクト（給電ダクト）、２…吊下部材、３，９０…照明器具（電気機器）、３ａ…上面、４，６０，７０…プラグ（給電ダクト用プラグ）、５…ダクト本体、６…裏板部、７…長側板部、７ａ…嵌着溝（嵌着凹部）、８…短側板部、９…表板部、１１，８０…本体、１２…縮径部、１３…ガイド片、１３ａ…上面、１３ｂ…テーパ面、１４…突起部、２１…挟持部、２１ａ…相対向面、２１ｂ，２１ｃ…内側面、２２…収容部、２３，６１…ロックプレート、２３ａ，６１ａ…係止爪、２３ｂ，６１ｂ…背面、２３ｃ…ガイド棒、２４…貫通穴、２６…従動片、２６ａ…従動カム面、２７…ボタン（操作部材）、２８…幅広部分、２８ａ…可動カム面、３１…大径部、３２…小径部、３３…段差面（押圧部）、３３ａ…テーパ面、３４…嵌着溝、４１…プラグボディ、４２…プラグカバー、４３…ネジ、５１…発光素子、５２…駆動回路、５３…機器側送受信回路、５４…システム制御部、５５…励磁要求受信回路、５６…機器認証受信回路、５７…励磁制御回路、５８…高周波インバータ回路（１次コイル用回路）、５８ａ…発振回路、５８ｂ…励磁同期信号発生回路、６２…規制片、６３…嵌合凹部、７１…対向面（離間部）、８２，９１ｂ…押し上げ用突起部（離間部）、ＡＴ１…信号受信アンテナ、ＡＴ２…送受信アンテナ、Ｂ…ベース部、Ｌ１…１次コイル、Ｌ２…２次コイル、Ｒ…室内、Ｒａ…天井、Ｓ…空間、ＳＰ…コイルスプリング（弾性部材）。
【図１】
0005816833.tif 000002
【図２】
0005816833.tif 000003
【図３】
0005816833.tif 000004
【図４】
0005816833.tif 000005
【図５】
0005816833.tif 000006
【図６】
0005816833.tif 000007
【図７】
0005816833.tif 000008
【図８】
0005816833.tif 000009
【図９】
0005816833.tif 000010
【図１０】
0005816833.tif 000011
【図１１】
0005816833.tif 000012
【図１２】
0005816833.tif 000013
【図１３】
0005816833.tif 000014
【図１４】
0005816833.tif 000015
【図１５】
0005816833.tif 000016
【図１６】
0005816833.tif 000017